(57)【特許請求の範囲】
【請求項１】
第２の通信端末に、第１の通信端末へ行ったマルチメディアデータ配信を通知する配信通知サーバであって、
前記第１の通信端末を識別する第１の通信端末識別情報と前記第２の通信端末を識別する第２の通信端末識別情報とを対応付けて格納するユーザ情報格納部と、
前記第１の通信端末にマルチメディアデータを送信する場合に、前記第１の通信端末識別情報を取得する識別情報取得部と、
前記識別情報取得部が取得した前記第１の通信端末識別情報に対応付けて格納されている前記第２の通信端末識別情報を前記ユーザ情報格納部から選択して読み出す抽出部と、
前記抽出部が選択して読み出した前記第２の通信端末識別情報に対応する前記第２の通信端末に、前記第１の通信端末にマルチメディアデータを送信した旨を示す配信情報を通知する通知部と、
前記通知部が前記配信情報を前記第２の通信端末に通知した場合に、前記マルチメディアデータを要求する要求情報を前記第２の通信端末から受信する要求受信部と、
前記マルチメディアデータに基づく情報を送信する送信部と
を備えることを特徴とする配信通知サーバ。
【請求項２】
前記通知部は、前記配信情報を記載した電子メールを作成し、作成した電子メールを前記第２の通信端末に送信することで、前記配信情報を前記第２の通信端末に通知することを特徴とする請求項１に記載の配信通知サーバ。
【請求項３】
前記第２の通信端末は複数であり、前記ユーザ情報格納部は、前記第１の通信端末識別情報に対応付けて前記複数の第２の通信端末の電子メールアドレスを格納し、
前記通知部は、前記複数の第２の通信端末の電子メールアドレスのそれぞれに前記電子メールを送信することを特徴とする請求項２に記載の配信通知サーバ。
【請求項４】
前記マルチメディアデータを格納するマルチメディアデータ格納部をさらに備え、
前記抽出部は、前記要求受信部が前記要求情報を前記第２の通信端末から受信した場合に、前記マルチメディアデータを前記マルチメディアデータ格納部から選択して読み出し、
前記送信部は、前記抽出部が選択して読み出した前記マルチメディアデータを前記第２の通信端末に送信することを特徴とする請求項１に記載の配信通知サーバ。
【請求項５】
前記マルチメディアデータのインターネット上におけるリンク先を格納するマルチメディアデータ格納部をさらに備え、
前記抽出部は、前記要求受信部が前記要求情報を前記第２の通信端末から受信した場合に、前記リンク先を前記マルチメディアデータ格納部から選択して読み出し、
前記送信部は、前記抽出部が選択して読み出した前記リンク先を前記第２の通信端末に送信することを特徴とする請求項１に記載の配信通知サーバ。
【請求項６】
前記マルチメディアデータのリンク先を格納するマルチメディアデータ格納部をさらに備え、
前記抽出部は、前記要求受信部が前記要求情報を前記第２の通信端末から受信した場合に、前記リンク先を前記マルチメディアデータ格納部から選択して読み出し、
前記リンク先に基づいて前記マルチメディアデータを取得するマルチメディアデータ取得部をさらに備え、
前記送信部は、前記マルチメディアデータ取得部が取得した前記マルチメディアデータを前記第２の通信端末に送信することを特徴とする請求項１に記載の配信通知サーバ。
【請求項７】
前記マルチメディアデータを格納するマルチメディアデータ格納部をさらに備え、
前記抽出部は、前記マルチメディアデータの少なくとも一部を前記マルチメディアデータ格納部から選択して読み出し、
前記通知部は、前記抽出部が選択して読み出した前記マルチメディアデータの少なくとも一部を含む配信情報を前記第２の通信端末に通知することを特徴とする請求項１に記載の配信通知サーバ。
【請求項８】
前記マルチメディアデータの一部を含む部分情報を格納するマルチメディアデータ格納部をさらに備え、
前記抽出部は、前記マルチメディアデータの前記部分情報を前記マルチメディアデータ格納部から選択して読み出し、
前記通知部は、前記抽出部が選択して読み出した前記部分情報を含む配信情報を前記第２の通信端末に通知することを特徴とする請求項１に記載の配信通知サーバ。
【請求項９】
前記マルチメディアデータを識別するマルチメディア識別情報を格納するマルチメディアデータ格納部をさらに備え、
前記抽出部は、前記マルチメディアデータの前記マルチメディア識別情報を前記マルチメディアデータ格納部から選択して読み出し、
前記通知部は、前記抽出部が選択して読み出した前記マルチメディア識別情報を含む配信情報を前記第２の通信端末に通知することを特徴とする請求項１に記載の配信通知サーバ。
【請求項１０】
前記マルチメディアデータのデータ量を削減した簡易情報を格納するマルチメディアデータ格納部をさらに備え、
前記抽出部は、前記マルチメディアデータの前記簡易情報を前記マルチメディアデータ格納部から選択して読み出し、
前記通知部は、前記マルチメディアデータの前記簡易情報を前記第２の通信端末に通知することを特徴とする請求項１に記載の配信通知サーバ。
【請求項１１】
前記マルチメディアデータ格納部は、前記マルチメディアデータをさらに格納し、
前記第２の通信端末から前記マルチメディアデータを要求する要求情報を受信する要求受信部をさらに備え、
前記抽出部は、前記要求受信部が前記要求情報を受信した場合に、前記マルチメディアデータを選択して読み出し、
前記抽出部が選択して読み出した前記マルチメディアデータを前記第２の通信端末に送信する送信部をさらに備えることを特徴とする請求項１０に記載の配信通知サーバ。
【請求項１２】
前記マルチメディアデータのインターネット上におけるリンク先を格納するマルチメディアデータ格納部をさらに備え、
前記抽出部は、前記マルチメディアデータの前記リンク先を前記マルチメディアデータ格納部から選択して読み出し、
前記通知部は、前記マルチメディアデータの前記リンク先を前記第２の通信端末に通知することを特徴とする請求項１に記載の配信通知サーバ。
【請求項１３】
前記通信端末が携帯電話である場合、前記第１の通信端末識別情報として、発信者番号を用いることを特徴とする請求項１に記載の配信通知サーバ。
【請求項１４】
前記通信端末が携帯電話である場合、前記第１の通信端末識別情報として、ユーザーＩＤを用いることを特徴とする請求項１に記載の配信通知サーバ。
【請求項１５】
前記マルチメディアデータとして、前記通信端末の着信通知用の音声情報を配信することを特徴とする請求項１に記載の配信通知サーバ。
【請求項１６】
前記マルチメディアデータとして、前記通信端末の着信通知用の画像情報を配信することを特徴とする請求項１に記載の配信通知サーバ。
【請求項１７】
前記マルチメディアデータとして、前記通信端末の着信通知用の動画情報を配信することを特徴とする請求項１６に記載の配信通知サーバ。
【請求項１８】
前記マルチメディアデータとして、前記通信端末の待ち受け画面用の画像情報を配信することを特徴とする請求項１に記載の配信通知サーバ。
【請求項１９】
前記第１の通信端末にマルチメディアデータを送信してから所定の期間内に、さらに他のマルチメディアデータを送信しなかった場合に、前記通知部は、前記第２の通信端末に所定の情報を配信することを特徴とする請求項１に記載の配信通知サーバ。
【請求項２０】
前記所定の情報は前記第１の通信端末のユーザのマルチメディアデータ利用に関連する情報であり、
前記所定の情報を前記第１の通信端末に対応付けて格納する情報データベースをさらに備え、
前記第１の通信端末にマルチメディアデータを送信してから所定の期間内に、さらに他のマルチメディアデータを送信しなかった場合に、前記通知部は、前記第２の通信端末に前記所定の情報を配信することを特徴とする請求項１９に記載の配信通知サーバ。
【請求項２１】
前記第１の通信端末がマルチメディアデータを受信してから所定の期間内に、さらに他のマルチメディアデータを受信しなかった場合に、前記通知部は、前記第１の通信端末に所定の情報を配信することを特徴とする請求項１に記載の配信通知サーバ。
【請求項２２】
前記所定の情報は前記第１の通信端末のユーザのマルチメディアデータ利用に関連する情報であり、
前記所定の情報を前記第１の通信端末に対応付けて格納する情報データベースをさらに備え、
前記第１の通信端末にマルチメディアデータを送信してから所定の期間内に、さらに他のマルチメディアデータを送信しなかった場合に、前記通知部は、前記第１の通信端末に前記所定の情報を配信することを特徴とする請求項２１に記載の配信通知サーバ。
【請求項２３】
前記第１の通信端末のユーザが前記所定の情報の受信を要求するか否かを示す要求情報を受信する要求受信部をさらに備え、
前記通知部は、前記要求受信部が前記第１の通信端末のユーザが前記所定の情報を要求する旨を示す要求情報を前記第１の通信端末から受信した場合に、前記第１の通信端末に前記所定の情報を配信することを特徴とする請求項２１に記載の配信通知サーバ。
【請求項２４】
前記第１の通信端末を所有するユーザに対する内容を記載した電子メールを前記第２の通信端末から受信する電子メール受信部と、
前記電子メール受信部が受信した前記電子メールを前記第１の通信端末識別情報に対応付けて格納する情報データベースと
をさらに備え、
前記通知部は、前記第１の通信端末がマルチメディアデータを受信してから所定の期間内に、さらに他のマルチメディアデータを受信しなかった場合に、前記第１の通信端末に前記情報データベースに格納されている前記電子メールの内容を示す情報を前記所定の情報として配信することを特徴とする請求項２１に記載の配信通知サーバ。
【請求項２５】
前記ユーザ情報格納部は、前記第２の通信端末識別情報に対応付けて第３の通信端末を識別する第３の通信端末識別情報をさらに格納し、
前記抽出部は、前記第１の通信端末にマルチメディアデータを送信してから所定の期間内に、さらに他のマルチメディアデータを前記第１の通信端末に配信しなかった場合に、前記識別情報取得部が取得した前記第１の通信端末識別情報に対応付けて格納されている第２の通信端末識別情報を前記ユーザ情報格納部から選択して読み出し、
前記抽出部は、選択して読み出した前記第２の通信端末識別情報に対応付けて格納されている前記第３の通信端末識別情報を前記ユーザ情報格納部から選択して読み出し、
前記通知部は、前記抽出部が選択して読み出した前記第２の通信端末識別情報が示す前記第２の通信端末に、前記第３の通信端末に配信したマルチメディアデータを示すマルチメディア情報を通知することを特徴とする請求項１に記載の配信通知サーバ。
【請求項２６】
前記ユーザ情報格納部は、前記第１の通信端末識別情報に対応付けて第３の通信端末を識別する第３の通信端末識別情報をさらに格納し、
前記抽出部は、前記第１の通信端末にマルチメディアデータを送信してから所定の期間内に、さらに他のマルチメディアデータを前記第１の通信端末に配信しなかった場合に、前記識別情報取得部が取得した前記第１の通信端末識別情報に対応付けて格納されている第２の通信端末識別情報及び第３の通信端末識別情報を前記ユーザ情報格納部から選択して読み出し、
前記通知部は、前記抽出部が選択して読み出した前記第２の通信端末識別情報が示す前記第２の通信端末に、前記第３の通信端末に配信したマルチメディアデータを示すマルチメディア情報を通知することを特徴とする請求項１に記載の配信通知サーバ。
【請求項２７】
第２の通信端末に、第１の通信端末へ行ったマルチメディアデータ配信を通知する配信通知方法であって、
第１の通信端末を識別する第１の通信端末識別情報と第２の通信端末を識別する第２の通信端末識別情報とを対応付けて管理して、
第１の通信端末にマルチメディアデータを送信する場合に、前記第１の通信端末識別情報を取得し、
取得した前記第１の通信端末識別情報に対応付けて格納されている第２の通信端末識別情報を前記ユーザ情報格納部から選択して読み出して、
選択して読み出した前記第２の通信端末識別情報に対応する前記第２の通信端末に、前記第１の通信端末にマルチメディアデータを送信した旨を示す配信情報を通知し、
前記配信情報を前記第２の通信端末に通知した場合に、前記マルチメディアデータを要求する要求情報を前記第２の通信端末から受信し、
前記マルチメディアデータに基づく情報を送信することを特徴とする配信通知方法。
【請求項２８】
第２の通信端末に、第１の通信端末へ行ったマルチメディアデータ配信を通知する配信通知サーバ用のプログラムであって、
第１の通信端末を識別する第１の通信端末識別情報と第２の通信端末を識別する第２の通信端末識別情報とを対応付けて管理する管理モジュールと、
第１の通信端末にマルチメディアデータを送信する場合に、前記第１の通信端末識別情報を取得する識別情報取得モジュールと、
取得した前記第１の通信端末識別情報に対応付けて格納されている第２の通信端末識別情報を前記ユーザ情報格納部から選択して読み出す抽出モジュールと、
選択して読み出した前記第２の通信端末識別情報に対応する前記第２の通信端末に、前記第１の通信端末にマルチメディアデータを送信した旨を示す配信情報を通知する通知モジュールと、
前記通知モジュールが前記配信情報を前記第２の通信端末に通知した場合に、前記マルチメディアデータを要求する要求情報を前記第２の通信端末から受信する要求受信モジュールと、
前記マルチメディアデータに基づく情報を送信する送信モジュールと
を備えることを特徴とするプログラム。
【発明の詳細な説明】
技術分野
本発明は、マルチメディアデータの配信を管理する配信通知サーバ、配信通知方法、及びプログラムに関する。また本出願は、下記の日本特許出願に関連する。文献の参照による組み込みが認められる指定国については、下記の出願に記載された内容を参照により本出願に組み込み、本出願の記載の一部とする。
特願２００１−１２０９８１     出願日 平成１３年４月１９日
背景技術
近年、携帯電話が一般的に普及し、着信通知用の音声情報や待ち受け画面用の画像情報等のマルチメディアデータがインターネットを介して提供されている。
さらに最近では、複数の携帯電話に同一のマルチメディアデータを共有したいという要望がある。しかし、これを支援する装置はなかった。そこで本発明は、このような問題を解決することを目的とする。
発明の開示
このような目的を達成するために、本発明の第１の形態によれば、通信端末へのマルチメディアデータ配信を管理する配信通知サーバであって、第１の通信端末を識別する第１の通信端末識別情報と第２の通信端末を識別する第２の通信端末識別情報とを対応付けて格納するユーザ情報格納部と、第１の通信端末にマルチメディアデータを送信する場合に、第１の通信端末識別情報を取得する識別情報取得部と、識別情報取得部が取得した第１の通信端末識別情報に対応付けて格納されている第２の通信端末識別情報をユーザ情報格納部から選択して読み出す抽出部と、抽出部が選択して読み出した第２の通信端末識別情報に対応する第２の通信端末に、第１の通信端末がマルチメディアデータを送信した旨を示す配信情報を通知する通知部と、通知部が配信情報を第２の通信端末に通知した場合に、マルチメディアデータを要求する要求情報を第２の通信端末から受信する要求受信部と、マルチメディアデータに基づく情報を送信する送信部とを備える。
通知部は、配信情報を記載した電子メールを作成し、作成した電子メールを第２の通信端末に送信することで、配信情報を第２の通信端末に通知してもよい。第２の通信端末は複数であり、ユーザ情報格納部は、第１の通信端末識別情報に対応付けて複数の第２の通信端末の電子メールアドレスを格納し、通知部は、複数の第２の通信端末の電子メールアドレス宛に電子メールを送信してもよい。
マルチメディアデータを格納するマルチメディアデータ格納部をさらに備え、抽出部は、要求受信部が要求情報を第２の通信端末から受信した場合に、マルチメディアデータをマルチメディアデータ格納部から選択して読み出し、送信部は、抽出部が選択して読み出したマルチメディアデータを第２の通信端末に送信してもよい。
マルチメディアデータのインターネット上におけるリンク先を格納するマルチメディアデータ格納部をさらに備え、抽出部は、要求受信部が要求情報を第２の通信端末から受信した場合に、リンク先をマルチメディアデータ格納部から選択して読み出し、送信部は、抽出部が選択して読み出したリンク先を第２の通信端末に送信してもよい。
マルチメディアデータのリンク先を格納するマルチメディアデータ格納部をさらに備え、抽出部は、要求受信部が要求情報を第２の通信端末から受信した場合に、リンク先をマルチメディアデータ格納部から選択して読み出し、リンク先に基づいてマルチメディアデータを取得するマルチメディアデータ取得部をさらに備え、送信部は、マルチメディアデータ取得部が取得したマルチメディアデータを第２の通信端末に送信してもよい。
マルチメディアデータを格納するマルチメディアデータ格納部をさらに備え、抽出部は、マルチメディアデータの少なくとも一部をマルチメディアデータ格納部から選択して読み出し、通知部は、抽出部が選択して読み出したマルチメディアデータの少なくとも一部を含む配信情報を第２の通信端末に通知してもよい。
マルチメディアデータの少なくとも一部を含む部分情報を格納するマルチメディアデータ格納部をさらに備え、抽出部は、マルチメディアデータの部分情報をマルチメディアデータ格納部から選択して読み出し、通知部は、抽出部が選択して読み出した部分情報を含む配信情報を第２の通信端末に通知してもよい。
マルチメディアデータを識別するマルチメディア識別情報を格納するマルチメディアデータ格納部をさらに備え、抽出部は、マルチメディアデータのマルチメディア識別情報をマルチメディアデータ格納部から選択して読み出し、通知部は、抽出部が選択して読み出したマルチメディア識別情報を含む配信情報を第２の通信端末に通知してもよい。
マルチメディアデータのデータ量を削減した簡易情報を格納するマルチメディアデータ格納部をさらに備え、抽出部は、マルチメディアデータの簡易情報をマルチメディアデータ格納部から選択して読み出し、通知部は、マルチメディアデータの簡易情報を第２の通信端末に通知してもよい。
マルチメディアデータ格納部は、マルチメディアデータをさらに格納し、第２の通信端末からマルチメディアデータを要求する要求情報を受信する要求受信部をさらに備え、抽出部は、要求受信部が要求情報を受信した場合に、マルチメディアデータを選択して読み出し、抽出部が選択して読み出したマルチメディアデータを第２の通信端末に送信する送信部をさらに備えてもよい。
マルチメディアデータのインターネット上におけるリンク先を格納するマルチメディアデータ格納部をさらに備え、抽出部は、マルチメディアデータのリンク先をマルチメディアデータ格納部から選択して読み出し、通知部は、マルチメディアデータのリンク先を第２の通信端末に通知してもよい。
通信端末が携帯電話である場合、第１の通信端末識別情報として、発信者番号を用いてもよい。第１の通信端末識別情報として、ユーザーＩＤを用いてもよい。マルチメディアデータとして、通信端末の着信通知用の音声情報を配信してもよい。
マルチメディアデータとして、通信端末の着信通知用の画像情報を配信してもよい。マルチメディアデータとして、通信端末の着信通知用の動画情報を配信してもよい。マルチメディアデータとして、通信端末の待ち受け画面用の画像情報を配信してもよい。
第１の通信端末にマルチメディアデータを送信してから所定の期間内に、さらに他のマルチメディアデータを送信しなかった場合に、通知部は、第２の通信端末に所定の情報を配信してもよい。
所定の情報は第１の通信端末のユーザのマルチメディアデータ利用に関連する情報であり、所定の情報を第１の通信端末に対応付けて格納する情報データベースをさらに備え、第１の通信端末にマルチメディアデータを送信してから所定の期間内に、さらに他のマルチメディアデータを送信しなかった場合に、通知部は、第２の通信端末に所定の情報を配信してもよい。
第１の通信端末がマルチメディアデータを受信してから所定の期間内に、さらに他のマルチメディアデータを受信しなかった場合に、通知部は、第１の通信端末に所定の情報を配信してもよい。
所定の情報は第１の通信端末のユーザのマルチメディアデータ利用に関連する情報であり、所定の情報を第１の通信端末に対応付けて格納する情報データベースをさらに備え、第１の通信端末にマルチメディアデータを送信してから所定の期間内に、さらに他のマルチメディアデータを送信しなかった場合に、通知部は、第１の通信端末に所定の情報を配信してもよい。
第１の通信端末のユーザが所定の情報の受信を要求するか否かを示す要求情報を受信する要求受信部をさらに備え、通知部は、要求受信部が第１の通信端末のユーザが所定の情報を要求する旨を示す要求情報を第１の通信端末から受信した場合に、第１の通信端末に所定の情報を配信してもよい。
所定の情報は、第１の通信端末がマルチメディアデータを受信してから所定の期間内に、さらに他のマルチメディアデータを受信していない旨を示す情報であってもよい。
ユーザ情報格納部は、第２の通信端末識別情報に対応付けて第３の通信端末を識別する第３の通信端末識別情報をさらに格納し、抽出部は、第１の通信端末にマルチメディアデータを送信してから所定の期間内に、さらに他のマルチメディアデータを第１の通信端末に配信しなかった場合に、識別情報取得部が取得した第１の通信端末識別情報に対応付けて格納されている第２の通信端末識別情報をユーザ情報格納部から選択して読み出し、抽出部は、選択して読み出した第２の通信端末識別情報に対応付けて格納されている第３の通信端末識別情報をユーザ情報格納部から選択して読み出し、通知部は、抽出部が選択して読み出した第２の通信端末識別情報が示す第２の通信端末に、第３の通信端末に配信したマルチメディアデータを示すマルチメディア情報を通知してもよい。
ユーザ情報格納部は、第１の通信端末識別情報に対応付けて第３の通信端末を識別する第３の通信端末識別情報をさらに格納し、抽出部は、第１の通信端末にマルチメディアデータを送信してから所定の期間内に、さらに他のマルチメディアデータを第１の通信端末に配信しなかった場合に、識別情報取得部が取得した第１の通信端末識別情報に対応付けて格納されている第２の通信端末識別情報及び第３の通信端末識別情報をユーザ情報格納部から選択して読み出し、通知部は、抽出部が選択して読み出した第２の通信端末識別情報が示す第２の通信端末に、第３の通信端末に配信したマルチメディアデータを示すマルチメディア情報を通知してもよい。
第１の通信端末を所有するユーザに対する内容を記載した電子メールを第２の通信端末から受信する電子メール受信部と、電子メール受信部が受信した電子メールを第１の通信端末識別情報に対応付けて格納する情報データベースとをさらに備え、通知部は、第１の通信端末がマルチメディアデータを受信してから所定の期間内に、さらに他のマルチメディアデータを受信しなかった場合に、第１の通信端末に情報データベースに格納されている電子メールの内容を示す情報を所定の情報として配信してもよい。
本発明の第２の形態によると、通信端末へのマルチメディアデータ配信を管理する配信通知方法であって、第１の通信端末を識別する第１の通信端末識別情報と第２の通信端末を識別する第２の通信端末識別情報とを対応付けて管理して、第１の通信端末にマルチメディアデータを送信する場合に、第１の通信端末識別情報を取得し、取得した第１の通信端末識別情報に対応付けて格納されている第２の通信端末識別情報をユーザ情報格納部から選択して読み出して、選択して読み出した第２の通信端末識別情報に対応する第２の通信端末に、第１の通信端末がマルチメディアデータを送信した旨を示す配信情報を通知し、配信情報を第２の通信端末に通知した場合に、マルチメディアデータを要求する要求情報を第２の通信端末から受信し、マルチメディアデータに基づく情報を送信する。
本発明の第３の形態によると、通信端末へのマルチメディアデータ配信を管理する配信通知サーバ用のプログラムであって、第１の通信端末を識別する第１の通信端末識別情報と第２の通信端末を識別する第２の通信端末識別情報とを対応付けて管理する管理モジュールと、第１の通信端末にマルチメディアデータを送信する場合に、第１の通信端末識別情報を取得する識別情報取得モジュールと、取得した第１の通信端末識別情報に対応付けて格納されている第２の通信端末識別情報をユーザ情報格納部から選択して読み出す抽出モジュールと、選択して読み出した第２の通信端末識別情報に対応する第２の通信端末に、第１の通信端末がマルチメディアデータを送信した旨を示す配信情報を通知する通知モジュールと、通知モジュールが配信情報を第２の通信端末に通知した場合に、マルチメディアデータを要求する要求情報を第２の通信端末から受信する要求受信モジュールと、マルチメディアデータに基づく情報を送信する送信モジュールとを備える。
なお上記の発明の概要は、本発明の必要な特徴の全てを列挙したものではなく、これらの特徴群のサブコンビネーションも又発明となりうる。
発明を実施するための最良の形態
以下、図面を参照して本発明の実施の形態の一例を説明する。
（第１の実施の形態）
図１は、本実施の形態に係る情報管理システムの概略を示す。本情報管理システムは、ネットワーク１０と、配信通知サーバ２０と、第１の通信端末３０と、第２の通信端末４０とを備える。配信通知サーバ２０は、ネットワーク１０を介してマルチメディアデータを第１の通信端末３０に配信する場合に、第１の通信端末３０にマルチメディアデータを送信した旨を示す情報を第２の通信端末４０に通知する。ネットワーク１０は、インターネット、パソコン通信網、企業内ＬＡＮ、ＶＰＮ等の専用線網等を含む。ここでマルチメディアデータを第１の通信端末３０に配信する場合とは、第１の通信端末３０から新たなマルチメディアデータの要求があった場合でもよいし、第１の通信端末３０にマルチメディアデータを送信した場合でもよい。マルチメディアデータは、通信端末の着信通知用の音声情報、着信通知用の画像情報、待ち受け画面用の画像情報等を含む。また画像情報は、動画情報でも良い。本実施の形態では、マルチメディアデータを着信通知用の音声情報として取り扱う。
第２の通信端末４０は、マルチメディアデータを送信した旨を示す情報を受信すると、マルチメディアデータを要求する要求情報を配信通知サーバ２０に送信する。配信通知サーバ２０は、要求情報を配信通知サーバ２０から受信するとマルチメディアデータを第２の通信端末４０に送信する。
図２は、配信通知サーバ２０の機能構成を示すブロック図である。配信通知サーバ２０は、識別情報取得部２００と、抽出部２０２と、電子メール作成部２０４と、通知部２０６と、送信部２０８と、要求受信部２１０と、期間検査部２１２と、電子メール受信部２１６と、マルチメディアデータデータベース２３０と、ユーザデータベース２３２と、情報データベース２３４とを有する。マルチメディアデータ格納部の一例としてのマルチメディアデータデータベース２３０は、マルチメディアデータとマルチメディアデータのデータ量を削減したデータである簡易情報とを格納する。ユーザ情報格納部の一例としてのユーザデータベース２３２は、第２の通信端末４０を識別する第２の通信端末識別情報と第２の通信端末４０の電子メールアドレスとを、第１の通信端末３０を識別する第１の通信端末識別情報に対応付けて格納する。情報格納部の一例としての情報データベース２３４は、第１の通信端末３０を所有するユーザのマルチメディアデータ利用に関連する情報を格納する。通信端末識別情報は、通信端末が携帯電話である場合、電話番号または携帯電話通信事業者が携帯電話に付与するユーザーＩＤでもよい。
識別情報取得部２００は、第１の通信端末のユーザが要求するマルチメディアデータを識別するマルチメディアデータ識別情報と、第１の通信端末識別情報とを第１の通信端末３０から受信し、抽出部２０２に送る。抽出部２０２は、受け取ったマルチメディアデータ識別情報に対応するマルチメディアデータをマルチメディアデータデータベース２３０から選択して読み出し、送信部２０８に送る。送信部２０８は、抽出部２０２から受け取ったマルチメディアデータを第１の通信端末３０に配信する。
また抽出部２０２は、識別情報取得部２００から受け取った第１の通信端末識別情報に対応づけて格納されている第２の通信端末の電子メールアドレスをユーザデータベース２３２から選択して読み出す。さらに抽出部２０２は、識別情報取得部２００から受け取ったマルチメディアデータ識別情報に対応する簡易情報をマルチメディアデータデータベース２３０から選択して読み出し、ユーザデータベース２３２から選択して読み出した第２の通信端末の電子メールアドレスと共に電子メール作成部２０４に送る。
電子メール作成部２０４は、配信通知サーバ２０が第１の通信端末３０にマルチメディアデータを送信した旨を示す配信情報を記載した電子メールを作成する。また電子メール作成部は、作成した電子メールに抽出部２０２から受け取ったマルチメディアデータの簡易情報を添付し、抽出部２０２から受け取った第２の通信端末４０の電子メールアドレスを作成した電子メールの宛先とし、作成した電子メールを通知部２０６に送る。通知部２０６は、電子メール作成部２０４から受け取った電子メールを第２の通信端末の電子メールアドレス宛に送信する。
要求受信部２１０は、マルチメディアデータを要求する要求情報を第２の通信端末４０から受信し、抽出部２０２に送る。ここで要求情報は、第２の通信端末識別情報とマルチメディアデータ識別情報とを含む。抽出部２０２は、要求受信部２１０から受け取った第２の通信端末識別情報に対応づけて格納されている第２の通信端末４０の電子メールアドレスをユーザデータベース２３２から選択して読み出す。また抽出部２０２は、要求受信部２１０から受け取ったマルチメディアデータ識別情報に対応づけて格納されているマルチメディアデータをマルチメディアデータデータベース２３０から選択して読み出し、ユーザデータベース２３２から選択して読み出した第２の通信端末の電子メールアドレスとともに電子メール作成部２０４に送る。
電子メール作成部２０４は、抽出部２０２から受け取ったマルチメディアデータを添付した電子メールを作成し、作成した電子メールの宛先を第２の通信端末４０の電子メールアドレスとする。さらに電子メール作成部２０４は、作成した電子メールを送信部２０８に送る。送信部２０８は、電子メール作成部２０４から受け取った電子メールを第２の通信端末４０の電子メールアドレス宛に送信する。
電子メール受信部２１６は、第１の通信端末３０を所有するユーザに対する電子メールを第２の通信端末４０から受信し、情報データベース２３４に格納する。第１の通信端末３０を所有するユーザに対する電子メールの内容は、例えば第２の通信端末４０のユーザが第１の通信端末３０を所有するユーザへの要望等である。
期間検査部２１２は、情報データベース２３４を参照し、第１の通信端末３０にマルチメディアデータを送信してから所定の期間が経過したか否かを判断し、所定の期間が経過している場合に、第１の通信端末識別情報を選択して読み出し、抽出部２０２に送る。抽出部２０２は、受け取った第１の通信端末識別情報に対応づけて格納されている第１の通信端末３０を所有するユーザのマルチメディアデータ利用に関連する情報を情報データベース２３４から選択して読み出す。また抽出部２０２は、期間検査部２１２から受け取った第１の通信端末識別情報に対応づけて格納されている第２の通信端末４０の電子メールアドレスをユーザデータベース２３２から選択して読み出し、情報データベース２３４から選択して読み出した第１の通信端末３０を所有するユーザのマルチメディアデータ利用に関連する情報とともに電子メール作成部２０４に送る。
電子メール作成部２０４は、抽出部２０２から受け取った第１の通信端末を所有するユーザのマルチメディアデータ利用に関連する情報を記載した電子メールを作成し、通知部２０６に送る。通知部２０６は、電子メール作成部２０４から受け取った電子メールを第２の通信端末４０に送信する。また通知部２０６は、電子メール作成部２０４から受け取った電子メールを第１の通信端末３０に送信してもよい。この場合、情報データベース２３４は、第１の通信端末３０を所有するユーザのマルチメディアデータ利用に関連する情報を予め第１の通信端末３０のユーザが所望するか否かを示す要求情報を格納しており、その情報に基づいて通知部２０６は、第１の通信端末３０に送信するか否かを判断する。
図３は、マルチメディアデータデータベース２３０のデータフォーマットの一例を示す。マルチメディアデータデータベース２３０は、マルチメディアデータ識別情報フィールドと、簡易情報フィールドと、マルチメディアデータフィールドとを含む。マルチメディアデータ識別情報フィールドは、マルチメディアデータを識別するマルチメディアデータ識別情報を格納する。
マルチメディアデータ識別情報は、マルチメディアデータが音楽情報の場合において、マルチメディアデータの曲名であってもよい。簡易情報フィールドは、マルチメディアデータのデータ量を削減した簡易情報を格納する。例えばマルチメディアデータが１６和音の音声情報である場合には、簡易情報は、４和音の音声情報である。このようにマルチメディアデータのデータ容量を縮小した簡易情報を予め第２の通信端末４０に送信することによって、第２の通信端末４０に対する通信料を削減することができる。マルチメディアデータフィールドは、マルチメディアデータを格納する。マルチメディアデータは、音声情報であってもよいし、動画情報であってもよい。
図４は、ユーザデータベース２３２のデータフォーマットの一例を示す。ユーザデータベース２３２は、第１の通信端末識別情報毎にテーブルを有する。それぞれのテーブルは、第２の通信端末識別情報フィールドと第３の通信端末識別情報フィールドと、メールアドレスフィールドとを含む。第２の通信端末識別情報フィールドは、第２の通信端末を識別する第２の通信端末識別情報を格納する。第３の通信端末識別情報フィールドは、第３の通信端末を識別する第３通信端末識別情報を格納する。メールアドレスフィールドは、第２の通信端末の電子メールアドレスを格納する。第１の通信端末識別情報、第２の通信端末識別情報、及び第３の通信端末識別情報は、それぞれの通信端末の電話番号であってもよい。
ここで第３の通信端末について説明する。配信通知サーバ２０は、第１の通信端末３０にマルチメディアデータを送信してから所定の期間が経過した場合に、第３の通信端末に配信したマルチメディアデータを第２の通信端末に送信することができる。第１の通信端末識別情報に対応する第２の通信端末識別情報と、第３の通信端末識別情報に対応する第２の通信端末識別情報とが、第１の通信端末３０に対して共通する確率の高い第３の通信端末の通信端末識別情報が第３の通信端末識別情報としてユーザデータベース２３２に格納される。このときの配信通知サーバ２０の動作を説明する。抽出部２０２は、期間検査部２１２から受け取った第１の通信端末識別情報に対応付けて格納されている第２の通信端末識別情報をユーザデータベース２３２から選択して読み出し、選択して読み出した第２の通信端末識別情報に対応付けて格納されている第３の通信端末識別情報を選択して読み出す。次に抽出部２０２は、選択して読み出した第３の通信端末識別情報と同一の第１の通信端末識別情報に対応付けて情報データベース２３４に格納されているマルチメディア識別情報が示すマルチメディアデータ、または簡易情報を選択して読み出し、電子メール作成部２０４に送る。
電子メール作成部２０４は、抽出部２０２から受け取ったマルチメディアデータ、または簡易情報を添付した電子メールを作成し、通知部２０６に送る。通知部２０６は、電子メール作成部２０４から受け取った電子メールを第２の通信端末４０に送信する。このように第１の通信端末３０を所有するユーザが所定の期間が経過してもマルチメディアデータを所望しない場合に、配信通知サーバ２０は、第３の通信端末が受信したマルチメディアデータを第２の通信端末４０に送信することができる。
図５は情報データベース２３４のデータフォーマットの一例を示す。情報データベース２３４は、第１の通信端末識別情報フィールドと、更新日時フィールドと、更新頻度フィールドと、第２の通信端末数フィールドと、情報要求フィールドと、マルチメディアデータ識別情報フィールドと、ユーザからのメールフィールドとを含む。第１の通信端末識別情報フィールドは、第１の通信端末を識別する第１の通信端末識別情報を格納する。
更新日時フィールドは、配信通知サーバ２０が第１の通信端末にマルチメディアデータを送信した日時を格納する。更新頻度フィールドは、配信通知サーバ２０が第１の通信端末にマルチメディアデータを送信した頻度を格納する。第２の通信端末数フィールドは、ユーザデータベース２３２において第１の通信端末識別情報に対応づけて格納されている第２の通信端末識別情報の数を格納する。情報要求フィールドは、第１の通信端末３０のユーザが所定の情報を要求するか否かを示す要求情報を格納する。所定の情報とは、更新日時、更新頻度、第２の通信端末数等である。マルチメディアデータ識別情報フィールドは、マルチメディアデータを識別するマルチメディアデータ識別情報を格納する。ユーザからのメールフィールドは、第１の通信端末３０を所有するユーザに対する第２の通信端末４０からの電子メールの内容を格納する。電子メールの内容は、例えば第１の通信端末３０を所有するユーザに対する第２の通信端末４０を所有するユーザの要望等である。
本配信通知サーバ２０は、第１の通信端末３０が所定の期間が経過してもマルチメディアデータを受信しない場合に、更新日時、更新頻度、第２の通信端末数等の第１の通信端末３０を所有するユーザのマルチメディアデータ利用に関連する情報を記載した電子メールを、第１の通信端末３０または第２の通信端末４０に送信することができる。これにより、第１の通信端末３０を所有するユーザは、マルチメディアデータを受信してから所定の期間が経過したことを知ることができる。また第２の通信端末４０を所有するユーザは、第１の通信端末３０がマルチメディアデータを受信しない場合においても、第１の通信端末３０のユーザに関連する情報を取得することができる。
図６は、マルチメディアデータの簡易情報を添付した電子メールを第２の通信端末４０に送信する際の配信通知サーバ２０の動作を示すフローチャートである。識別情報取得部２００は、マルチメディアデータ識別情報と第１の通信端末識別情報とを第１の通信端末３０から受信する（Ｓ１００）。抽出部２０２は、識別情報取得部２００が受信したマルチメディアデータ識別情報に対応づけて格納されているマルチメディアデータをマルチメディアデータデータベース２３０から選択して読み出す（Ｓ１０２）。送信部２０８は、抽出部２０２が選択して読み出したマルチメディアデータを第１の通信端末３０に送信する（Ｓ１０４）。
次に抽出部２０２は、識別情報取得部２００が受信したマルチメディアデータ識別情報に対応づけて格納されているマルチメディアデータの簡易情報をマルチメディアデータデータベース２３０から選択して読み出す（Ｓ１０６）。また抽出部２０２は、識別情報取得部２００が受信した第１の通信端末識別情報に対応づけて格納されている第２の通信端末４０の電子メールアドレスをユーザデータベース２３２から選択して読み出す（Ｓ１０８）。電子メール作成部２０４は、抽出部２０２が選択して読み出したマルチメディアデータの簡易情報を添付した電子メールを作成する（Ｓ１１０）。通知部２０６は、電子メール作成部２０４が作成した電子メールを抽出部２０２が選択して読み出した第２の通信端末４０の電子メールアドレス宛に送信する（Ｓ１１２）。
このように配信通知サーバ２０は、簡易情報を添付した電子メールを第２の通信端末４０に送信することにより、マルチメディアデータそのものを添付した電子メールを送信する場合と比較して、データ通信量を削減することができる。また第２の通信端末４０のユーザは、簡易情報を添付した電子メールを配信通知サーバ２０から受信することにより、簡易情報を試聴して、マルチメディアデータを受信するか否かを判断することができる。
図７は、マルチメディアデータを第２の通信端末に送信する際の配信通知サーバ２０の動作を示すフローチャートである。要求受信部２１０は、マルチメディアデータを要求する要求情報を第２の通信端末４０から受信する（Ｓ２００）。要求情報は、マルチメディアデータ識別情報と第２の通信端末の電子メールアドレスとを含む。次に抽出部２０２は、要求受信部が受信したマルチメディアデータ識別情報に対応づけて格納されているマルチメディアデータをマルチメディアデータデータベース２３０から選択して読み出す（Ｓ２０２）。次に電子メール作成部２０４は、抽出部２０２が選択して読み出したマルチメディアデータを添付した電子メールを作成する（Ｓ２０４）。送信部２０８は、電子メール作成部２０４が作成した電子メールを第２の通信端末４０の電子メールアドレス宛に送信する（Ｓ２０６）。
ここで配信通知サーバ２０は、マルチメディアデータを電子メールに添付して第２の通信端末４０に送信しているが、これに換えて他の例としては、配信通知サーバ２０は、Ｗｅｂページ上にマルチメディアデータを格納し、第２の通信端末４０がＷｅｂページ上からダウンロードしてマルチメディアデータを取得してもよい。
図８は、所定の情報を第２の通信端末４０に送信する際の配信通知サーバ２０の動作を示すフローチャートである。期間検査部２１２は、情報データベース２３４を参照し、配信通知サーバ２０が第１の通信端末にマルチメディアデータを送信してから所定の期間が経過する前にさらに他のマルチメディアデータの要求を第１の通信端末３０から受信したか否かを判断する（Ｓ３００）。配信通知サーバ２０が第１の通信端末にマルチメディアデータを送信してから所定の期間が経過する前にさらに他のマルチメディアデータの要求を第１の通信端末３０から受信しなかった場合に、抽出部２０２は、第１の通信端末識別情報に対応づけて格納されている第１の通信端末３０を所定の情報を情報データベース２３４から選択して読み出す（Ｓ３０２）。
さらに抽出部２０２は、第１の通信端末識別情報に対応づけて格納されている第２の通信端末４０の電子メールアドレスをユーザデータベース２３２から選択して読み出す（Ｓ３０４）。電子メール作成部２０４は、抽出部２０２が選択して読み出した所定の情報を記載した電子メールを作成する（Ｓ３０６）。次に通知部２０６は、電子メール作成部２０４が作成した電子メールを抽出部２０２が選択して読み出した第２の通信端末４０の電子メールアドレス宛に送信する（Ｓ３０８）。一方、Ｓ３００において、期間検査部２１２が、配信通知サーバ２０が第１の通信端末にマルチメディアデータを送信してから所定の期間が経過する前にさらに他のマルチメディアデータの要求を第１の通信端末３０から受信した場合に、配信通知サーバ２０は、所定の情報を記載した電子メールを送信することなく動作は終了する。ここで所定の情報とは、例えば情報データベース２３４に格納されている更新日時、更新頻度、第２の通信端末数等の第１の通信端末３０を所有するユーザのマルチメディアデータ利用に関連する情報である。
図９は、所定の情報を第１の通信端末３０に送信する際の配信通知サーバ２０の動作を示すフローチャートである。期間検査部２１２は、情報データベース２３４を参照し、配信通知サーバ２０が第１の通信端末にマルチメディアデータを送信してから所定の期間が経過する前にさらに他のマルチメディアデータの要求を第１の通信端末３０から受信したか否かを判断する（Ｓ４００）。配信通知サーバ２０が第１の通信端末にマルチメディアデータを送信してから所定の期間が経過する前にさらに他のマルチメディアデータの要求を第１の通信端末３０から受信しなかった場合に、期間検査部２１２は、要求受信部２１０が第１の通信端末３０から所定の情報を要求する旨を示す要求情報を受信したか否かを情報データベース２３４の情報要求フィールドを参照し、判断する（Ｓ４０１）。期間検査部２１２が要求受信部２１０が第１の通信端末３０から所定の情報を要求する旨を示す要求情報を受信したと判断した場合に、抽出部２０２は、第１の通信端末識別情報に対応づけて格納されている第１の通信端末３０を所定の情報を情報データベース２３４から選択して読み出す（Ｓ４０２）。
電子メール作成部２０４は、抽出部２０２が選択して読み出した所定の情報を記載した電子メールを作成する（Ｓ４０６）。次に通知部２０６は、電子メール作成部２０４が作成した電子メールを第１の通信端末３０に送信する（Ｓ４０８）。一方、Ｓ４００において、期間検査部２１２が、配信通知サーバ２０が第１の通信端末にマルチメディアデータを送信してから所定の期間が経過する前にさらに他のマルチメディアデータの要求を第１の通信端末３０から受信した場合、及びＳ４０１において、期間検査部２１２が要求受信部２１０が第１の通信端末３０から所定の情報を要求する旨を示す要求情報を受信しなかったと判断した場合に、配信通知サーバ２０は、所定の情報を記載した電子メールを送信することなく動作は終了する。
ここで所定の情報とは、例えば情報データベース２３４に格納されている第２の通信端末４０を所有するユーザからの電子メールの内容、第２の通信端末数、更新頻度、更新日時、及び第１の通信端末３０のユーザが所定の期間マルチメディアデータを受信していない旨を示す情報等である。
図１０は、配信通知サーバ２０のハードウェア構成を示すブロック図である。配信通知サーバ２０は、ＣＰＵ７００と、ＲＯＭ７０２と、ＲＡＭ７０４と、通信インターフェース７０６と、ハードディスクドライブ７１０と、フロッピーディスクドライブ７１２と、ＣＤ−ＲＯＭドライブ７１６とを備える。ＣＰＵ７００は、ＲＯＭ７０２及びＲＡＭ７０４に格納されたプログラムに基づいて動作する。通信インターフェース７０６は、ネットワーク１０を介して外部と通信する。格納装置の一例としてのハードディスクドライブ７１０は、設定情報及びＣＰＵ７００が動作するプログラムを格納する。
フロッピーディスクドライブ７１２はフロッピーディスク（商標）７１４からデータまたはプログラムを読み取りＣＰＵ７００に提供する。ＣＤ−ＲＯＭドライブ７１６はＣＤ−ＲＯＭ７１８からデータまたはプログラムを読み取りＣＰＵ７００に提供する。通信インターフェース７０６は、ネットワーク１０に接続してデータを送受信する。
ＣＰＵ７００が実行するソフトウエアは、フロッピーディスク（商標）７１４またはＣＤ−ＲＯＭ７１８等の記録媒体に格納されて利用者に提供される。記録媒体に格納されたソフトウエアは圧縮されていても非圧縮であっても良い。ソフトウエアは記録媒体からハードディスクドライブ７１０にインストールされ、ＲＡＭ７０４に読み出されてＣＰＵ７００により実行される。
記録媒体に格納されて提供されるソフトウエア、即ちハードディスクドライブ７１０にインストールされるソフトウェアは、機能構成として、要求受信モジュール、識別情報取得モジュール、電子メール作成モジュール、通知モジュール、送信モジュール、抽出モジュール、期間検査モジュール、及び管理モジュールを備える。これらの各モジュールがコンピュータに働きかけて、ＣＰＵ７００に行わせる処理は、それぞれ本実施の形態におけるチケット発行サーバ２０における、対応する部材の機能及び動作と同一であるから説明を省略する。
図１０に示した、記録媒体の一例としてのフロッピーディスク（商標）７１４またはＣＤ−ＲＯＭ７１８には、本出願で説明する全ての実施形態におけるチケット発行サーバ２０の動作の一部または全ての機能を格納することができる。
これらのプログラムは記録媒体から直接ＲＡＭに読み出されて実行されても、一旦ハードディスクドライブにインストールされた後にＲＡＭに読み出されて実行されても良い。更に、上記プログラムは単一の記録媒体に格納されても複数の記録媒体に格納されても良い。また記録媒体に格納されるモジュールは、オペレーティングシステムとの共同によってそれぞれの機能を提供してもよい。例えば機能の一部または全部を行うことをオペレーティングシステムに依頼し、オペレーティングシステムからの応答に基づいて機能を提供するものであってもよい。
記録媒体としては、フロッピーディスク（商標）、ＣＤ−ＲＯＭの他にも、ＤＶＤ等の光学記録媒体、ＭＤ等の磁気記録媒体、ＰＤ等の光磁気記録媒体、テープ媒体、磁気記録媒体、ＩＣカードやミニチュアーカードなどの半導体メモリー等を用いることができる。又、専用通信ネットワークやインターネットに接続されたサーバシステムに設けたハードディスクまたはＲＡＭ等の格納装置を記録媒体として使用し、通信網を介してプログラムを配信通知サーバ２０に提供してもよい。
このような記録媒体は、配信通知サーバ２０を製造するためのみに使用されるものであり、そのような記録媒体の業としての製造および販売等が本出願に基づく特許権の侵害を構成することは明らかである。
以上、本発明を実施の形態を用いて説明したが、本発明の技術的範囲は上記実施の形態に記載の範囲には限定されない。上記実施の形態に、多様な変更又は改良を加えることができる。
図１１は、第１の変更例に係るマルチメディアデータデータベース２３０のデータフォーマットである。第１の実施の形態に係るマルチメディアデータデータベース２３０は、マルチメディアデータのデータ量を削減した簡易情報を格納する簡易情報フィールド及びマルチメディアデータを格納するマルチメディアデータフィールドを有するが、これらに換えて第１の変更例に係るマルチメディアデータデータベース２３０は、マルチメディアデータの部分情報を格納する部分情報フィールド及びリンク先を格納するリンク先フィールドを有する。部分情報フィールドは、例えばマルチメディアデータが２０秒の音声情報である場合、２０秒の音声情報のうち、前半の５秒の音声情報といった部分情報を格納する。リンク先フィールドは、マルチメディアデータを格納するインターネット上のＷｅｂページのアドレスを格納する。
このようにマルチメディアデータのリンク先を格納することにより、データ容量の大きいマルチメディアデータそのものを格納する場合と比較して、当該配信通知サーバ２０の負荷を軽減することができる。
次に第２の変更例に係るユーザデータベース２３２及び情報データベース２３４を説明する。第１の実施の形態では、ユーザデータベース２３２が第３の通信端末識別情報を第２の通信端末識別情報に対応付けて格納していたが、これに換えて第２の変更例では、情報データベース２３４が第３の通信端末識別情報を第１の通信端末識別情報に対応付けて格納する。図１２は、第２の変更例に係るユーザデータベース２３２のデータフォーマットを示す。第１の変更例に係るユーザデータベース２３２は、第３の通信端末識別情報フィールドを有しない点で第１の実施の形態に係るユーザデータベース２３２と異なる。
図１３は、第２の変更例に係る情報データベース２３４のデータフォーマットを示す。第２の変更例に係る情報データベース２３４は、第３の通信端末識別情報フィールドをさらに有する点で、第１の実施の形態に係る情報データベース２３４と異なる。第２の変更例に係る情報データベース２３４は、第１の通信端末識別情報に対応付けて第３の通信端末識別情報を格納する。
次に第２の変更例に係る配信通知サーバ２０の動作を説明する。抽出部２０２は、期間検査部２１２から受け取った第１の通信端末識別情報に対応付けて格納されている第３の通信端末識別情報を情報データベース２３４から選択して読み出し、選択して読み出した第３の通信端末識別情報と同一の第１の通信端末識別情報に対応付けて情報データベース２３４に格納されているマルチメディア識別情報が示すマルチメディアデータ、または簡易情報を選択して読み出し、電子メール作成部２０４に送る。これ以外の配信通知サーバ２０の動作及び構成は、第１の実施の形態に係る配信通知サーバ２０の動作及び構成と同様であるので説明を省略する。
（第２の実施の形態）
次に第２の実施の形態に係る配信通知サーバ２０を説明する。第１の実施の形態に係る配信通知サーバ２０は、マルチメディアデータそのものを保持し、第２の通信端末４０に提供していたが、これに換えて第２の実施の形態に係る配信通知サーバ２０は、インターネット上のＷｅｂページのアドレス、即ちリンク先を保持し、リンク先からマルチメディアデータを取得し、取得したマルチメディアデータを第２の通信端末４０に提供する。
図１４は、本実施の形態に係る配信通知サーバ２０の機能構成を示すブロック図である。本実施の形態に係る配信通知サーバ２０は、マルチメディアデータ取得部２１４をさらに備える点で、第１の実施の形態に係る配信通知サーバ２０と異なる。またマルチメディアデータデータベース２３０は、マルチメディアデータのリンク先を格納する。
抽出部２０２は、識別情報取得部２００から受け取ったマルチメディアデータ識別情報に対応付けて格納されているリンク先をマルチメディアデータデータベース２３０から選択して読み出し、マルチメディアデータ取得部２１４に送る。マルチメディアデータ取得部２１４は、抽出部２０２から受け取ったリンク先からマルチメディアデータを取得し、電子メール作成部２０４に送る。
また第１の実施の形態に係る配信通知サーバ２０は、簡易情報を添付した電子メールを第２の通信端末４０に送信し、第２の通信端末４０を所有するユーザがマルチメディアデータを要求した場合に、マルチメディアデータを送信しているが、本実施の形態に係る配信通知サーバ２０は、簡易情報を添付した電子メールを第２の通信端末４０に送信することなく、マルチメディアデータを添付した電子メールを第２の通信端末４０に送信する。
図１５は、第２の実施の形態に係るマルチメディアデータデータベース２３０のデータフォーマットを示す。第２の実施の形態に係るマルチメディアデータデータベース２３０は、マルチメディアデータ識別情報フィールドをさらに備える点、及び簡易情報フィールドとマルチメディアデータフィールドとを備えない点で第１の実施の形態に係るマルチメディアデータデータベース２３０と異なる。これ以外の第２の実施の形態に係る配信通知サーバ２０の動作及び構成は、第１の実施の形態に係る配信通知サーバ２０と同様であるので説明を省略する。本実施の形態に係る配信通知サーバ２０のように、データ容量の大きいマルチメディアデータそのものを格納せず、リンク先のみを格納することにより、配信通知サーバ２０の負荷を軽減させることができる。
以上発明の実施の形態を説明したが、本出願に係る発明の技術的範囲は上記の実施の形態に限定されるものではない。上記実施の形態に種々の変更を加えて、特許請求の範囲に記載の発明を実施することができる。そのような発明が本出願に係る発明の技術的範囲に属することもまた、特許請求の範囲の記載から明らかである。
産業上の利用可能性
以上の説明から明らかなように、本発明によれば複数の通信端末に同一のマルチメディアデータを提供することができる。
【図面の簡単な説明】
図１は、本実施の形態に係る情報管理システムの概略を示す図である。
図２は、配信通知サーバ２０の機能構成を示すブロック図である。
図３は、マルチメディアデータデータベース２３０のデータフォーマットの一例を示す図である。
図４は、ユーザデータベース２３２のデータフォーマットの一例を示す図である。
図５は、情報データベース２３４のデータフォーマットの一例を示す図である。
図６は、マルチメディアデータの簡易情報を添付した電子メールを第２の通信端末４０に送信する際の配信通知サーバ２０の動作を示すフローチャートである。
図７は、マルチメディアデータを第２の通信端末に送信する際の配信通知サーバ２０の動作を示すフローチャートである。
図８は、所定の情報を第２の通信端末４０に送信する際の配信通知サーバ２０の動作を示すフローチャートである。
図９は、所定の情報を第１の通信端末３０に送信する際の配信通知サーバ２０の動作を示すフローチャートである。
図１０は、配信通知サーバ２０のハードウェア構成を示すブロック図である。
図１１は、第１の変更例に係るマルチメディアデータデータベース２３０のデータフォーマットを示す図である。
図１２は、第２の変更例に係るユーザデータベース２３２のデータフォーマットを示す図である。
図１３は、第２の変更例に係る情報データベース２３４のデータフォーマットを示す図である。
図１４は、第２の実施の形態に係る配信通知サーバ２０の機能構成を示すブロック図である。
図１５は、第２の実施の形態に係るマルチメディアデータデータベース２３０のデータフォーマットを示す図である。
【図１】
0003901638.tif 000002
【図２】
0003901638.tif 000003
【図３】
0003901638.tif 000004
【図４】
0003901638.tif 000005
【図５】
0003901638.tif 000006
【図６】
0003901638.tif 000007
【図７】
0003901638.tif 000008
【図８】
0003901638.tif 000009
【図９】
0003901638.tif 000010
【図１０】
0003901638.tif 000011
【図１１】
0003901638.tif 000012
【図１２】
0003901638.tif 000013
【図１３】
0003901638.tif 000014
【図１４】
0003901638.tif 000015
【図１５】
0003901638.tif 000016